(57)【要約】【課題】モアレ縞を発生させることなく外光反射を抑制し、コントラストを高めたプラズマディスプレイ装置を実現する。【解決手段】粘着層を有するプラズマディスプレイ装置用前面フィルタであって、粘着層５６は薄片状の光吸収体５９を粘着層５６の内部に粘着面に対して略直交する方向に配向し分散させて形成されていることを特徴とする。【選択図】図４
2008122737.tif 000002
【特許請求の範囲】
【請求項１】
粘着層を有するプラズマディスプレイ装置用前面フィルタであって、
前記粘着層は、薄片状の光吸収体を前記粘着層の内部に粘着面に対して略直交する方向に配向し分散させて形成されていることを特徴とするプラズマディスプレイ装置用前面フィルタ。
【請求項２】
前記粘着層は、前記光吸収体を互いに略平行に配向して分散させたことを特徴とする請求項１に記載のプラズマディスプレイ装置用前面フィルタ。
【請求項３】
前記光吸収体の長径は前記粘着層の厚み以下であり、前記光吸収体の厚みは前記光吸収体の長径の１／１０以下であることを特徴とする請求項１に記載のプラズマディスプレイ装置用前面フィルタ。
【請求項４】
前記光吸収体はグラファイトまたは金属酸化物で形成されていることを特徴とする請求項１に記載のプラズマディスプレイ装置用前面フィルタ。
【発明の詳細な説明】
【技術分野】
【０００１】
本発明は、プラズマディスプレイパネルを用いたプラズマディスプレイ装置用前面フィルタに関する。
【背景技術】
【０００２】
プラズマディスプレイパネル（以下、「パネル」と略記する）は、行方向に長い走査電極および維持電極からなる表示電極対を複数形成した前面板と、列方向に長いデータ電極を複数形成した背面板とを対向配置し、表示電極対とデータ電極とが交差する位置のそれぞれに放電セルが形成されている。そしてプラズマディスプレイ装置は、上述したパネルを駆動するために、走査電極駆動回路、維持電極駆動回路、データ電極駆動回路を備え、それぞれの電極に必要な駆動電圧波形を印加して、画像を表示する装置である。
【０００３】
このようなプラズマディスプレイ装置を屋外等の明るい環境下で使用する場合には、パネルの表示面で外光が反射されて表示画像のコントラストが低下する傾向がある。このようなコントラストの低下を防ぐ方法として、例えば光吸収層を形成したフィルムをパネルの前面に貼り付けて外光反射を抑えるという方法が知られている。このような光吸収層の１つとして、特許文献１には、ルーバーを設け、斜め方向から入射する外光を吸収して、表示画像のコントラスト低下を防止する方法が開示されている。
【特許文献１】特開２００４−６２０８４号公報
【発明の開示】
【発明が解決しようとする課題】
【０００４】
しかしながら、このようなルーバーは、光吸収層が一定の間隔で設けられているため、これがパネルの画素である等間隔に配列された放電セルと干渉してモアレ縞が発生するという課題があった。
【０００５】
本発明は上記課題に鑑みなされたものであり、モアレ縞を発生させることなく外光反射を抑制し、コントラストを高めたプラズマディスプレイ装置を実現することができるプラズマディスプレイ装置用前面フィルタを提供することを目的とする。
【課題を解決するための手段】
【０００６】
本発明は、粘着層を有するプラズマディスプレイ装置用前面フィルタであって、粘着層は薄片状の光吸収体を粘着層の内部に粘着面に対して略直交する方向に配向し分散させて形成されていることを特徴とする。この構成によれば、モアレ縞を発生させることなく外光反射を抑制し、コントラストを高めたプラズマディスプレイ装置を実現することができるプラズマディスプレイ装置用前面フィルタを提供することができる。
【０００７】
また本発明の粘着層は、光吸収体を互いに略平行に配向して分散させてもよい。この構成によれば、外光反射を抑制しつつ視野角を広げることが可能となる。
【０００８】
また本発明の光吸収体の長径は粘着層の厚み以下であり、光吸収体の厚みは光吸収体の長径の１／１０以下であることが望ましい。この構成によれば、光の透過率を高めて、輝度の高い画像表示を行うことができる。
【０００９】
また本発明の光吸収体はグラファイトまたは金属酸化物で形成されていてもよい。
【発明の効果】
【００１０】
本発明によれば、モアレ縞を発生させることなく外光反射を抑制し、コントラストを高めたプラズマディスプレイ装置を実現することができるプラズマディスプレイ装置用前面フィルタを提供することが可能となる。
【発明を実施するための最良の形態】
【００１１】
以下、本発明の実施の形態におけるプラズマディスプレイ装置について、図面を用いて説明する。
【００１２】
（実施の形態１）
図１は本発明の実施の形態１に用いるパネル１０の要部を示す分解斜視図である。パネル１０は、ガラス製の前面基板２１と背面基板３１とを対向配置して、その間に放電空間を形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には複数のデータ電極３２が平行に形成され、データ電極３２を覆うように絶縁体層３３が形成され、さらに絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１３】
図２は、本発明の実施の形態１におけるプラズマディスプレイ装置１００の構造を示す分解斜視図である。プラズマディスプレイ装置１００は、パネル１０と、パネル１０の表示面に設けられた前面フィルタ５０と、パネル１０を保持するシャーシ８０と、パネル１０で発生した熱をシャーシ８０に伝達するとともに、パネル１０とシャーシ８０とを接着するための熱伝導シート８２と、電源回路ブロック、走査電極・維持電極駆動回路、タイミング発生回路等、パネル１０を駆動するための回路ブロック８４と、これらを収納する前面枠８６およびバックカバー８８とを備える。
【００１４】
図３は本発明の実施の形態１における前面フィルタ５０の構造の詳細を示す断面図である。前面フィルタ５０は複数の機能フィルムを張り合わせた構造であり、本実施の形態においては、パネル側から外側に向かって順に、赤外線カットフィルム５１、電磁波シールドフィルム５３、ＰＥＴ製の基板フィルム５５、反射低減フィルム５７をそれぞれ粘着層５２、５４、５６を用いて張り合わせている。赤外線カットフィルム５１はパネルの放電に伴い発生する赤外線を外部に放射させないように赤外線を遮断する。電磁波シールドフィルム５３は導電性のフィルムであり、前面枠８６およびバックカバー８８と電気的に接続することにより、プラズマディスプレイ装置１００全体をシールドしてプラズマディスプレイ装置１００で発生する不要な電磁波の輻射を抑制している。また、反射低減フィルム５７は最も外側に配置され、外光の反射を抑えて画像表示面の映り込みを抑えている。そしてこれらの機能フィルムは、粘着層５２、５４、５６を用いて基板フィルム５５に張り合わされている。
【００１５】
さらに、機能フィルムを張り合わせるための粘着層のうちの少なくとも１つ、本実施の形態においては粘着層５６に、斜め方向から入射する外光を吸収するための光吸収体が配向され分散されている。
【００１６】
図４は本発明の実施の形態１における前面フィルタの粘着層５６の詳細を示す拡大図であり、図４（ａ）は斜視図、図４（ｂ）は平面図である。光透過性の透明な粘着層５６は、その内部に薄片状の黒色の光吸収体５９が粘着層５６と交差する方向に配向され分散されている。これらの光吸収体５９は、長径が粘着層５６の厚み以下であり、厚さが長径の１／１０以下であることが望ましい。また、これらの光吸収体５９は、粘着層５６の粘着面に対して略直交するように配向することが望ましいが、９０°に対し±２０°程度のばらつきを持って配向されていても使用することができる。そしてこれら光吸収体５９は、隣接する光吸収体間の平均距離が粘着層５６の厚みより小さくなるような密度で分散されていることが望ましい。
【００１７】
上述した条件を設ける理由は以下のとおりである。光吸収体５９の長径が粘着層５６の厚みよりも大きいと仮定すると、光吸収体５９が粘着層５６からはみ出す可能性がある。そして光吸収体５９が粘着層５６からはみ出した場合には、張り合わせができない、あるいは光吸収体５９が折れ曲がって光をさえぎる等の不具合を発生する。また光吸収体５９の厚さを長径の１／１０以下の薄い形状とし、粘着層５６の面に略直交するように配向する理由は、光の透過率を高めて、輝度の高い画像表示を行うためである。さらに、隣接する光吸収体間の平均距離が粘着層５６の厚みより小さくなるような密度でこれら光吸収体５９を分散させることにより、斜め方向から入射する外光を効果的に吸収することができる。
【００１８】
このような外光を遮光する機能を備えた粘着層としては、例えばアクリル系の樹脂等からなる厚さ３０μｍの粘着層５６に、例えば直径が２５μｍ±５μｍ、厚みが１μｍであるグラファイトまたは金属酸化物等の光吸収体を配向、分散して作製することができる。
【００１９】
そしてこのように作製された外光遮光機能を備えた粘着層５６の内部には光吸収体５９が規則性なくランダムに分散されているため、パネル１０の放電セルの配列と干渉することがなく、モアレ縞が発生する恐れがない。また、粘着層５６内部に光吸収体５９を設けているので、張り合わせる機能フィルムの枚数が変わらず、前面フィルタ５０の寸法も変わらないので、従来の前面フィルタとの置き換えが可能である。
【００２０】
（実施の形態２）
本発明の実施の形態２におけるプラズマディスプレイ装置１００のパネル１０、シャーシ８０、回路ブロック８４、前面枠８６、バックカバー８８等は実施の形態１と同様である。実施の形態２が実施の形態１と異なる点は、前面フィルタ５０の粘着層のうちの外光遮光機能を備えた粘着層（実施の形態１における粘着層５６に対応する）の構造である。
【００２１】
図５は、本発明の実施の形態２における前面フィルタ５０の外光遮光機能を備えた粘着層５８の詳細を示す拡大図であり、図５（ａ）は斜視図、図５（ｂ）は平面図である。粘着層５８は光透過性の透明な粘着層５８の内部に薄片状の黒色の光吸収体５９が、粘着層５８の面と略交差する方向に、かつ光吸収体５９が互いに略平行に配向され分散されている。これらの光吸収体５９は、実施の形態１と同様に、長径が粘着層５８の厚み以下であり、厚さが長径の１／１０以下である。またこれら光吸収体５９は、隣接する光吸収体間の平均距離が粘着層５８の厚みより小さくなるような密度で分散されている。そして実施の形態２においては、これらの光吸収体５９は、粘着層５８の粘着面に対して略直交するように配向されているだけでなく、プラズマディスプレイ装置１００の画像表示面に水平線を表示した場合にその水平線に略平行となるように、光吸収体５９が互いに略平行に配向されている。
【００２２】
このように光吸収体５９を配向させることにより、画像表示面に対して、上または下の方向から入射する外光に対してはより効果的に外光を吸収することができるが、右または左の方向から入射する外光に対してはほとんど外光を吸収しなくなる。しかしながらパネルで発生させた光も右または左の方向に放出させることができるので、左右の視野角を広げることが可能となる。
【００２３】
したがって実施の形態２に記載のプラズマディスプレイ装置１００は、上下方向の外光を効果的に吸収し、かつ左右の視野角の広いプラズマディスプレイ装置１００であるので、例えば野外で多数の人が同時に見るディスプレイ装置として有用である。
【００２４】
なお、本発明の実施の形態においては、粘着層を用いて複数のフィルムを張り合わせた前面フィルタとして説明したが、本発明はこれに限定されるものではなく、例えば、赤外線カットフィルム等の機能フィルムの片面に上述した粘着層を設け、直接パネルに貼り付けるタイプの前面フィルタにも適用することができる。
【００２５】
また、本発明の実施の形態において用いた具体的な各数値は、単に一例を挙げたに過ぎず、パネルの特性やプラズマディスプレイ装置の仕様等に合わせて、適宜最適な値に設定することが望ましい。例えば本発明の実施の形態においては、光吸収体は粘着層の面に対して９０°±２０°であるとして説明したが、上方からの外光を優先的に吸収させるために、例えば９０°に対し＋２０°、−４５°のばらつきを持つように配向させてもよい。
【産業上の利用可能性】
【００２６】
本発明のプラズマディスプレイ装置用前面フィルタは、モアレ縞を発生させることなく外光反射を抑制し、コントラストを高めることができるので、プラズマディスプレイ装置用の前面フィルタとして有用である。
【図面の簡単な説明】
【００２７】
【図１】本発明の実施の形態１に用いるパネルの要部を示す分解斜視図
【図２】本発明の実施の形態１におけるプラズマディスプレイ装置の構造を示す分解斜視図
【図３】本発明の実施の形態１における前面フィルタの構造の詳細を示す断面図
【図４】本発明の実施の形態１における前面フィルタの粘着層の詳細を示す拡大図
【図５】本発明の実施の形態２における前面フィルタの粘着層の詳細を示す拡大図
【符号の説明】
【００２８】
１０    パネル
５０    前面フィルタ
５１    赤外線カットフィルム
５２，５４，５６，５８    粘着層
５３    電磁波シールドフィルム
５５    基板フィルム
５７    反射低減フィルム
５９    光吸収体
８０    シャーシ
８２    熱伝導シート
８４    回路ブロック
８６    前面枠
８８    バックカバー
１００    プラズマディスプレイ装置
【図１】
2008122737.tif 000003
【図２】
2008122737.tif 000004
【図３】
2008122737.tif 000005
【図４】
2008122737.tif 000006
【図５】
2008122737.tif 000007